(57)【特許請求の範囲】
【請求項１】
鉄道及び道路路肩に設置された防音壁の、上下方向に延びる左右一対のガイド溝を備えた防音壁サポートに対して、左右の両側部がサポートされるように取付けられる遮音板を含む防音壁に対して、ソーラーパネルを取付ける為のソーラーパネル取付け構造に於いて、
ソーラーパネル正面を受ける平板形状のソーラーパネルサポートと、
ソーラーパネルサポートのソーラーパネル正面を受ける面の左右に設けたソーラーパネルの左右の両側部を受けるＬ字形状の左右のソーラーパネル受け座と、
遮音板背面と左右のガイド溝との隙間に上から落とし込み挿入するためにソーラーパネルサポートのソーラーパネル受け座を設けた面の裏側の面の左右に設けた左右のガイド溝の端までの長さを有した左右の隙間部挿入薄板と、
ソーラーパネルサポートと左右のソーラーパネル受け座とで構成された空間に装着したソーラーパネルから構成される一括セットにより、
厚みの厚いソーラーパネル装着を可能にした太陽光の当たる防音壁背面の垂直面のソーラーパネル取付け構造。
【請求項２】
前記垂直面のソーラーパネル取付け構造として、太陽光受光率アップを考慮した垂直に仰角を加えた仰角アップ構造を有したことを特徴とする請求項１に記載のソーラーパネル取付け構造。
【発明の詳細な説明】
【技術分野】
【０００１】
本発明は防音壁取付け後の遮音板とその防音壁サポートの空間を利用して、取付け出来るようにしたソーラーパネル取付け構造に関するものである。
【背景技術】
【０００２】
従来のソーラーパネルの取付けに関しては横葺屋根における取付け方法は6件程出ている（例えば、特許文献１参照）。
【０００３】
定間隔で設置されたＨ型鋼等支柱の隣り合う支柱間に取付られる防音  壁背面に直接ソーラーパネルを取り付けた例がある（例えば、特許文  献２及び３参照）。
【０００４】
従来の防音壁は規格化されており、遮音板及び防音壁サポートも決まった形状で一定間隔に取付けられ、遮音板を簡易作業でサポート空間に落とし込んで取付けられている。（例えば、非特許文献１参照）。
【先行技術文献】
【特許文献】
【０００５】
【特許文献１】特開２０１２−１１７２５５号  公報
【特許文献２】特開２０１０−１６５４８１号  公報
【特許文献３】実用新案登録第３１５３９６５号  公報
【非特許文献】
【０００６】
【非特許文献１】ＪＦＥ防音壁カタログ  金属製遮音板標準形式  ｐ．3
【発明の概要】
【発明が解決しようとする課題】
【０００７】
上述の如く、従来の鉄道及び道路路肩に設置された防音壁は、上下方向に延びる左右一
対のガイド溝を備えた防音壁サポートに対して、左右の両側部がサポートされるように取付けられる遮音板を含む防音壁に対して、遮音板の背面と防音壁サポートとの間に生ずる隙間を有効に活用されずに見過ごされている状況にある。
【課題を解決するための手段】
【０００８】
本発明は以下の二つの特徴を有する。鉄道及び道路路肩に設置された防音壁の上下方向
に延びる左右一対のガイド溝を備えた防音壁サポートに対して、左右の両側部がサポートされるように取付けられる遮音板を含む防音壁に対して、ソーラーパネルを取付ける為のソーラーパネル取付け構造に於いて、遮音板の背面と防音壁サポートとの間に生ずる隙間に隙間部挿入薄板を取付け、隙間部挿入薄板を介してソーラーパネルサポート、ソーラーパネル受け座を取付け、厚みの厚いソーラーパネル装着を可能にした太陽光の当たる防音壁背面の垂直面のソーラーパネル取付け構造を設ける。且つ、垂直面のソーラーパネル取付け構造として、太陽光受光率アップを考慮した垂直に仰角を加えた仰角アップ構造を有する。
【発明の効果】
【０００９】
本発明の請求項１によれば、以下の効果を実現できる。鉄道及び道路路肩に設置された
防音壁の遮音板背面の太陽光の当たる部分を探すことにより、又、遮音板の長さと段数が異なっても、サポート間隔と高さが規格で決まるので、それぞれの寸法が決まれば、隙間部挿入薄板に取付けるソーラーパネルサポート、ソーラーパネル受けの強度を調整することにより、簡易に取付け可能なソーラーパネル取付け構造を提供出来る。
【００１０】
防音壁の遮音板背面と防音壁サポートの隙間は狭く、その狭い隙間に隙間部挿入薄板を
挿入して、その隙間部挿入薄板に、ソーラーパネルサポート、ソーラーパネル受けを取付けることにより、厚みの厚いソーラーパネルを取付け可能とした。
【００１１】
防音壁の遮音板と防音壁サポートは規格化されており、精度良く取付けられる事から、
隙間部挿入薄板に、ソーラーパネルサポート、ソーラーパネル受け、ソーラーパネルを一括セットしたものを上下方向に延びる左右一対のガイド溝を備えた防音壁サポートと遮音板背面の隙間に上から落とし込みによって簡単にソーラーパネルを取付け出来る。
【００１２】
新たな広い設置場所の検討が必要なく、安価な設備で済むと共に、鉄道及び道路が走る方向に対して日光の受光率による発電効率と設備費との採算合否の検討のみで設置可能か否かを決めることが出来る。
【００１３】
本発明によるソーラーパネル取付けによるソーラーパネルの重量分の防音効果が強化され、ソーラーパネル取付けによる発電の結果、蓄電池設備が必要の場合には、鉄道及び道路の周囲に有り余るスペ−スがあり、保全作業に有利な場所を選択し有効利用が出来る。
【００１４】
本発明の請求項２によれば、ソーラーパネルサポート下部を工夫して垂直取付けから仰角アップの対応を取ることにより、更に、太陽光の受光率アップの効果も実現出来る。
【図面の簡単な説明】
【００１５】
【図１】本発明の高架に取付けられる１スパンのソーラーパネルを表示した斜視図である。
【図２】本発明の高架に取付けられる１スパンのソーラーパネルを表示した正面図である。
【図３】本発明のソーラーパネル取付け前の１スパンのみ表示した平面図である。
【図４】本発明の１スパンのみソーラーパネルを表示した平面図である。
【図５】本発明の高架に取付けられる１スパンのソーラーパネル挿入部一式の斜視図である。
【図６】本発明の地上に取付けられる１スパンのソーラーパネル挿入部一式の斜視図である。
【図７】本発明の高架に取付けられる１スパンのソーラーパネル挿入部一式仰角の斜視図である。
【図８】本発明の高架に取付けられるソーラーパネル取付け前の側面図である。
【図９】本発明の高架に取付けられるソーラーパネル取付け後の側面図である。
【図１０】本発明の地上に取付けられるソーラーパネル取付け後の側面図である。
【発明を実施するための形態】
【００１６】
以下、本発明の形態を図１〜図１０に基づいて説明する。
【００１７】
図１においては、高架軌道、道路の路肩に規格化され設置された防音壁の遮音板１ａの背面と防音壁サポート１ｂとの間には隙間が生じ、そこに隙間部挿入薄板４を設けることによって、その隙間部挿入薄板４を介してソーラーパネルサポート5，ソーラーパネル受け座６を取付けることにより、厚みの厚いソーラーパネル3を取付け可能とした。
【００１８】
図２においては、従来の防音壁の遮音板１ａを両サイドに示し、防音壁サポート１ｂの間に遮音板１ａの背面にソーラーパネルサポート5，ソーラーパネル受け座６取付け、ソーラーパネル３を装着した図である。
【００１９】
図３においては、現在設置されている防音壁の遮音板１ａと防音壁サポート１ｂにおいて、遮音板１ａの背面に生ずる隙間２を示す。
【００２０】
図４においては、防音壁の遮音板１ａと防音壁サポート１ｂにおいて、遮音板１ａの背面に生ずる隙間２に相当する隙間部挿入薄板４取付け、隙間部挿入薄板４を介してソーラーパネルサポート5，ソーラーパネル受け座６、ソーラーパネル3の位置関係を上から見た１スパン分の図である。
【００２１】
図５、図６においては、軌道、道路の高架及び地上用として隙間部挿入薄板４にソーラーパネルサポート5，ソーラーパネル受け座６を取付け、ソーラーパネル3をセットした一式を多数用意し、遮音板１ａ背面の隙間２相当の日光の当たる部分に上から順次挿入することによって取付ける。
【００２２】
図７においては、防音壁の遮音板１ａの背面に垂直に取り付けるソーラーパネルに対し、太陽光を効率よく受光するように、仰角調整サポート８を取付ける。
【００２３】
図８においては、高架軌道及び道路設置された防音壁の遮音板１ａと防音壁サポート１ｂにおける遮音板１ａに生ずる隙間２の現状の姿であり、本発明はこの隙間を活用したものである。
【００２４】
図９、１０においては、図８に示した隙間２に隙間部挿入薄板４取付け、隙間部挿入薄板４を介してソーラーパネルサポート5，ソーラーパネル受け座６、ソーラーパネル3の位置関係の側面図で軌道、道路の高架と地上例を示す。
【００２５】
本発明の上記の説明によれば以下の作用、効果を有する。
【００２６】
本発明の請求項１によれば、以下の効果を実現できる。鉄道及び道路路肩に設置された
防音壁の遮音板背面の太陽光の当たる部分を探すことにより、又、遮音板の長さと段数が異なっても、サポート間隔と高さが規格で決まるので、それぞれの寸法が決まれば、隙間部挿入薄板に取付けるソーラーパネルサポート、ソーラーパネル受けの強度を調整することにより、簡易に取付け可能なソーラーパネル取付け構造を提供出来る。
【００２７】
防音壁の遮音板背面と防音壁サポートの隙間は狭く、その狭い隙間に隙間部挿入薄板を
挿入して、その隙間部挿入薄板に、ソーラーパネルサポート、ソーラーパネル受けを取付けることにより、厚みの厚いソーラーパネルを取付け可能とした。
【００２８】
防音壁の遮音板と防音壁サポートは規格化されており、精度良く取付けられる事から、
隙間部挿入薄板に、ソーラーパネルサポート、ソーラーパネル受け、ソーラーパネルを一括セットしたものを上下方向に延びる左右一対のガイド溝を備えた防音壁サポートと遮音板背面の隙間に上から落とし込みによって簡単にソーラーパネルを取付け出来る。
【００２９】
新たな広い設置場所の検討が必要なく、安価な設備で済むと共に、鉄道及び道路が走る方向に対して日光の受光率による発電効率と設備費との採算合否の検討のみで設置可能か否かを決めることが出来る。
【００３０】
本発明によるソーラーパネル取付けによるソーラーパネルの重量分の防音効果が強化され、ソーラーパネル取付けによる発電の結果、蓄電池設備が必要の場合には、鉄道及び道路の周囲に有り余るスペ−スがあり、保全作業に有利な場所を選択し有効利用が出来る。
【符号の説明】
【００３１】
１ａ    遮音板  
１ｂ    防音壁サポート
２      遮音板と防音壁サポートとの間に出来る隙間
３      ソーラーパネル  
４      隙間部挿入薄板
５      ソーラーパネルサポート  
６      ソーラーパネル受け座
７      軌道面又は路面
８      仰角調整サポート
【要約】 
【課題】  従来のソーラーパネル取付け構造は建物の屋上とか、平地の広い場所を占有する計画が殆どであって、鉄道及び道路等の既設設備への有効利用は見あたらない状況にある。
【解決手段】  鉄道及び道路路肩に設置された防音壁外側の太陽光の当たる遮音板背面に上下方向に延びる、防音板１ａと防音壁サポート１ｂの隙間に、隙間部挿入薄板４を取付け、隙間部挿入薄板４を介してソーラーパネルサポート５、ソーラーパネル受け座６を取付け、厚みの厚いソーラーパネル３の装着を可能にした太陽光の当たる遮音板背面の垂直面のソーラーパネル取付け構造と仰角アップ構造を持つソーラーパネル取付け構造。
【選択図】図１【図１】
0005407086.tif 000002
【図２】
0005407086.tif 000003
【図３】
0005407086.tif 000004
【図４】
0005407086.tif 000005
【図５】
0005407086.tif 000006
【図６】
0005407086.tif 000007
【図７】
0005407086.tif 000008
【図８】
0005407086.tif 000009
【図９】
0005407086.tif 000010
【図１０】
0005407086.tif 000011